(57)【要約】【課題】宝石装飾品における宝石が鑑定書、鑑別書に表示されている宝石と一致していることを証明可能にするとともに、外出先等においても容易にそれを証明可能にした宝石装飾品の証明書を提供することを課題としている。【解決手段】宝石装飾品における宝石が鑑定書に表示された宝石と同一であることを証明するための宝石装飾品の証明書であって、クレジットカード大程度の大きさ、あるいはクレジットカード２枚分程度の大きさにするとともに二つ折り自在としたカードにより構成し、少なくとも、当該宝石の鑑定書、鑑別書に記載されている鑑定書番号又は鑑別書番号と、当該宝石をリングや枠体に石留めした責任者の氏名又はサインを表示したことを特徴としており、これにより、宝石装飾品における宝石が鑑定書や鑑別書表示されている宝石と同一であることを証明することができるとともに、カードとしているために持ち運びも容易となる。【選択図】図１
2008023869.tif 000002
【特許請求の範囲】
【請求項１】
宝石装飾品における宝石が鑑定書、鑑別書に表示された宝石と同一であることを証明するための宝石装飾品の証明書であって、
少なくとも、当該宝石の鑑定書、鑑別書に記載されている鑑定書番号又は鑑別書番号（６）と、当該宝石をリングや枠体に石留めした責任者の氏名又はサイン（７）を表示したことを特徴とする宝石装飾品の証明書。
【請求項２】
前記当該宝石の鑑定書、鑑別書に記載されている鑑定書番号又は鑑別書番号（６）と、当該宝石をリングや枠体に石留めした責任者の氏名又はサイン（７）をカードに表示することを特徴とする請求項１に記載の宝石装飾品の証明書。
【請求項３】
前記カードをクレジットカード大の大きさとしたことを特徴とする請求項２に記載の宝石装飾品の証明書。
【請求項４】
前記カードをクレジットカード２枚分の大きさにするとともに二つ折り自在にしたことを特徴とする請求項２に記載の宝石装飾品の証明書。
【発明の詳細な説明】
【技術分野】
【０００１】
本発明は宝石装飾品の証明書に係り、より詳しくは、宝石装飾品における宝石のセッティング担当者を表示し、これにより、当該宝石装飾品における宝石が鑑定書や鑑別書に表示された宝石と同一であることを証明可能にした宝石装飾品の証明書に関する。
【背景技術】
【０００２】
従来から、ダイヤモンド等の宝石が係止された指輪、ネックレス等の宝石装飾品については、購入者等に安心感と信頼感を与えるため、宝石の鑑別結果や鑑定データを記載した宝石鑑別書、宝石鑑定書等を添付することが行われている。
【０００３】
そして、一般的に、このような鑑定書、鑑別書には、宝石の種類と、宝石を科学的に分析、検査した結果としての、透明度と色、カットの形式、重量、寸法、屈折率、比重、偏光性、多色性、蛍光性等が記載されており、これにより、当該宝石が真正なものであるかどうか、及び天然の宝石であるかどうか等が証明されている。
【０００４】
従って、この鑑定書、鑑別書によれば、宝石装飾品に係止されている宝石の品質を保証することができ、これによって、顧客の購買意欲をそそることも可能である。
【特許文献１】特開２００１−７５４７８号公報
【特許文献２】特開２００１−２８７４８２
【特許文献３】実開平６−６４９２８号公報
【発明の開示】
【発明が解決しようとする課題】
【０００５】
ところで、前述の鑑定書、鑑別書は宝石装飾品における宝石の鑑別、鑑定結果を表示しているものであるが、この鑑定書、鑑別書をもって実際に販売されている宝石装飾品における宝石が鑑定書、鑑別書に表示されている宝石と同一であることを証明しているものではない。
【０００６】
従って、何らかの手違い等の理由により、例えば枠体やリングにダイヤモンド等を石留めしてセッティングする者の手違いにより、鑑定書等に表示しているダイヤモンドとは異なるダイヤモンドを石留めしてしまった場合には、鑑定書等に表示してある宝石と実際に宝石装飾品に備えている宝石とが異なったものになってしまい、鑑定書等としての価値が無いものとなってしまう。
【０００７】
また、例えば、指輪やネックレスの場合にはリング部分や枠体部分に鑑定書等の番号が刻印されており、この刻印と鑑定書等の番号を照合することにより鑑定書等に表示されているダイヤモンドと実物のダイヤモンドとが同一であることが予想されるが、刻印はあくまでもリング部分や枠体部分に施されており宝石自体に施されているものではないため、前述と同様に、石留めしてセッティングする者の手違いにより、鑑定書等に表示している宝石とは異なる宝石を石留めしてしまった場合には意味の無いものとなってしまう。
【０００８】
また、不正により鑑定書等に表示されたダイヤモンドとは異なる宝石をリング、枠体に石留めすることも考えられ、特に組織ぐるみでこのような不正が行われている場合には刻印も偽造されている場合があり得る。
【０００９】
しかしながら、従来の鑑定書、鑑別書では、鑑定、鑑別した宝石と実際に販売されている宝石装飾品における宝石との同一を保証するものではなく、また、従来はこのような証明を行う方法も提案されていなかったために、手違い等や不正により鑑定書、鑑別書に表示されている宝石とは異なる宝石がリング、枠体に係止されていても、これを発見するのは非常に困難であった。
【００１０】
また、刻印等によって鑑定書、鑑別書に表示されている宝石と実際の宝石装飾品における宝石が同一であるこが証明できている場合においても、鑑定書や鑑別書は一般的に大きく、持ち歩くのは非現実的であるため、従来は、例えば外出先等で、身に付けている宝石装飾品における宝石が真性なものであるかどうかを証明することは困難であった。
【００１１】
そこで、本発明は、宝石装飾品における宝石が鑑定書、鑑別書に表示されている宝石と一致していることを証明可能にするとともに、外出先等においても容易にそれを証明可能にした宝石装飾品の証明書を提供することを課題としている。
【課題を解決するための手段】
【００１２】
本発明の宝石装飾品の証明書は、宝石装飾品における宝石が鑑定書、鑑別書に表示された宝石と同一であることを証明するための宝石装飾品の証明書であって、少なくとも、当該宝石の鑑定書、鑑別書に記載されている鑑定書番号又は鑑別書番号と、当該宝石をリングや枠体に石留めして宝石装飾品をセッティングした責任者の氏名又はサインを表示したことを特徴としている。
【００１３】
また、本発明の宝石装飾品の証明書では、前記当該宝石の鑑定書、鑑別書に記載されている鑑定書番号又は鑑別書番号と、当該宝石をリングや枠体に石留めした責任者の氏名又はサインをカードに表示してなることを特徴としている。
【発明の効果】
【００１４】
本発明の宝石装飾品の証明書では、鑑定書や鑑別書に記された鑑定書番号、鑑別書番号とともに、宝石装飾品における宝石をリングや枠体に石留めしてセッティングした責任者の氏名又はサインを表示しているため、これにより、宝石装飾品における宝石が鑑定書や鑑別書表示されている宝石と同一であることを証明することができ、購入者に対して、安心感、信頼感を与えることが可能である。
【００１５】
また、セッティングした責任者の氏名又はサインを表示することにより、セッティングする者に対しては注意を促すことができるために、手違い等により鑑定書、鑑別書に表示されている宝石と異なった宝石をセッティングしてしまう事態を未然に防止することができるとともに、不正に対する抑止とすることも可能である。
【００１６】
更に、鑑定書や鑑別書に記された鑑定書番号等、宝石装飾品における宝石をリングや枠体に石留めしてセッティングした責任者の氏名又はサインをカードに表示して構成して持ち運びを容易にすることで、外出先等においても、容易に、宝石装飾品における宝石が鑑定書や鑑別書表示されている宝石と同一であることを証明することが可能である。
【発明を実施するための最良の形態】
【００１７】
本発明の宝石装飾品の証明書は、少なくとも、対象となる宝石装飾品における宝石の写真又は宝石装飾品全体の写真と、カード番号と、当該宝石の鑑定書、鑑別書に記載されている鑑定書番号又は鑑別書番号と、宝石のカラット数等を表示するとともに、当該宝石をリングや枠体に石留めしてセッティングした責任者の氏名又はサインを表示している。
【００１８】
ここで、本発明の宝石装飾品の証明書を、例えばクレジットカード大程度の大きさにし、あるいはクレジットカード２枚分程度の大きさにするとともに二つ折り自在にし、全体を樹脂製、あるいはフィルム等でラミネートするとよく、これにより持ち運びが容易となり、持ち運びが不便な鑑定書や鑑別書を携帯することなく、宝石装飾品における宝石の証明等が可能となる。
【実施例１】
【００１９】
本発明の宝石装飾品の証明書の実施例について図面を参照して説明すると、図１及び図２は本実施例の宝石装飾品の証明書を示す図であり、図１は表面側を示しており、図２は裏面側を示している。
【００２０】
そして、本実施例の宝石装飾品の証明書では、クレジットカード大程度の大きさとした樹脂製のカードとしており、表面側１ａには、対象となる宝石装飾品の写真２を表示するとともに、その下側には、カード名３を表示している。即ち、本実施例における宝石装飾品は、立爪によりダイヤモンドを係止したリングとしており、このリングの写真２を表面側に表示するとともに、その下にはカード名としての「ＣＥＲＴＩＦＩＣＡＴＥ」の英文字３を表示し、更にこの英文字の下には小さめに「石留証明書」と表示している。
【００２１】
なお、本発明の宝石装飾品の証明書の対象となる宝石装飾品は必ずしも立爪によりダイヤモンドを係止したリングに限定されるものではなく、すべての宝石装飾品が対象となる。
【００２２】
次に、証明書１の裏面側１ｂの表示について説明すると、図２において、証明書の裏面１ｂ側には、まず、最上段にカード番号４が表示され、最下段には製造場所及びその住所が表示され、更にその横には社判が押印されている。
【００２３】
そして、このカード番号４の下段には、鑑定書に表示されている鑑定結果等５が表示されている。即ち、本実施例においては、まず、宝石名としての「天然ダイヤモンド」の表示５０１がされ、次にカット方法としての「ブリリアントカット」の表示５０２がされている。そしてその下欄には、いわゆる４Ｃと称される、透明度（Ｃｌａｒｉｔｙ）、カラー（Ｃｏｌｏｕｒ）、カット（Ｃｕｔ）及びカラット（Ｃａｒａｔ）が表示され、本実施例では、透明度（Ｃｌａｒｉｔｙ）が「ＶＶＳ１」、カラー（Ｃｏｌｏｕｒ）が「Ｄ」、カット（Ｃｕｔ）が「Ｅ」、カラット（Ｃａｒａｔ）が「０．２」と表示されている。
【００２４】
次に、これらの鑑定結果等の表示５の下段には、鑑定書番号としての「Ｔ０６−１０００００」の表示６がされている。従ってこれらの表示は番号Ｔ０６−１０００００の鑑定書に表示されている事項と同一であることが証明され、これにより、鑑定書を持ち歩くことなく、当該宝石が鑑定書付きの真性なものであることを証明することができる。
【００２５】
次に、本実施例においては、前記鑑定書番号の表示６の下段に、前記番号の鑑定書に表示されたダイヤモンドを石留めしてセッティングした責任者の氏名が「セッティング責任者」７として表示されている。
【００２６】
即ち、前述のように、従来から宝石装飾品に添付されている鑑定書等では、宝石が真正なものであるかどうか、及び天然の宝石であるかどうか等は証明できるが、実際の宝石装飾品における宝石が鑑定書に表示されている宝石と同一かどうかは証明できない。しかしながら、本実施例における宝石装飾品の証明書では、鑑定書に表示されている宝石を石留めしてセッティングした責任者の氏名を表示しているため、これにより、実際に宝石装飾品に備えられている宝石が鑑定書に表示されている宝石と同一であることを証明することができ、購入者に対して、安心感、信頼感を与えることが可能である。
【００２７】
また、セッティングした責任者の氏名を表示しているため、セッティング責任者に対しては細心の注意を払って石留めを行うことが期待でき、手違い等により鑑定書、鑑別書に表示されている宝石と異なった宝石をセッティングしてしまう事態を未然に防止することが可能であるとともに、不正に対する抑止としての効果も期待できる。
【００２８】
このように、本実施例の宝石装飾品の証明書では、当該宝石装飾品における宝石を石留めしてセッティングした責任者の氏名を表示しており、更に鑑定書の番号も表示しているため、宝石装飾品における宝石と鑑定書に表示されている宝石とが同一であることを証明することができる。
【００２９】
そしてこのとき、本実施例の宝石装飾品の証明書では、全体をクレジットカード大程度の大きさとしているために、鑑定書を持ち歩く場合と異なり、極めて持ち運びが容易であり、出先等に於いて宝石装飾品の品質等を証明することも可能である。
【００３０】
なお、必ずしも樹脂製にする必要はなく、紙製にしてもよく、あるいは紙製のカードにフィルム等でラミネートを施して構成してもよい。
【００３１】
また、本発明における宝石装飾品の証明書における表示は、必ずしも前述した内容に限定されるものではなく、少なくとも、当該宝石の鑑定書、鑑別書に記載されている鑑定書番号等の表示と、当該宝石をリングや枠体に石留めした責任者の氏名又はサインの表示がなされていれば良い。
【００３２】
更に、前述の実施例では、クレジットカード大程度の大きさにした場合を説明したが、本発明の宝石装飾品の証明書は必ずしもクレジットカード大程度の大きさにする必要は無く、いずれの大きさとしてもよい。従って、例えば、図３に示すように、クレジットカード２枚分大程度の大きさにするとともに  二つ折り自在にしてもよい。
【００３３】
即ち、図３に示す宝石装飾品の証明書では、クレジットカード２枚分大程度の大きさにするとともに二つ折り自在にしており、開いた状態における左側には、前述の場合と同様に、立爪によりダイヤモンドを係止したリングの写真２を表示するとともに、その下側に、カード名としての「ＣＥＲＴＩＦＩＣＡＴＥ」の英文字３を表示し、更にこの英文字の下には小さめに「石留証明書」と表示している。そして、右側には、カード番号４、鑑定書に表示されている鑑定結果等５、鑑定書番号６、石留めしてセッティングした責任者の氏名７、製造場所及びその住所８が表示され、製造場所の横には社判が押印されている。
【産業上の利用可能性】
【００３４】
本発明の宝石装飾品の証明書は、宝石装飾品における宝石を石留めした責任者の氏名を表示しており、これにより鑑定書に表示されている宝石と実際の宝石装飾品における宝石の同一性を証明可能としているため、ダイヤモンドリングに限らず、すべての宝石装飾品、及びすべての宝石について適用可能である。
【図面の簡単な説明】
【００３５】
【図１】本発明の宝石装飾品の証明書の実施例の正面図である。
【図２】本発明の宝石装飾品の証明書の実施例の背面図である。
【図３】本発明の宝石装飾品の証明書の他の構成の正面図である。
【符号の説明】
【００３６】
１    宝石装飾品の証明書
２    宝石装飾品の証明書の表面に表示した宝石装飾品
３    カード名
４    カード番号
５    鑑定書に記載の事項
５０１    宝石名の表示
５０２    カット方法の表示
５０３    ４Ｃの表示
６    鑑定書番号
７    セッティング責任者の表示
８    製造場所及びその住所の表示
【図１】
2008023869.tif 000003
【図２】
2008023869.tif 000004
【図３】
2008023869.tif 000005